【手続補正書】
【提出日】平成19年3月16日(2007.3.16)
【手続補正１】
【補正対象書類名】明細書
【補正対象項目名】特許請求の範囲
【補正方法】変更
【補正の内容】
【特許請求の範囲】
【請求項１】
第１の通信プロトコルを有し、第１のセルを定義する無線接続ネットワークであって、該第１のセルは少なくともそのうちのいくつかが、前記第１の通信プロトコルとは異なる異種通信プロトコルを採用する異種セルに隣接し、前記異種通信プロトコルは異種通信システムと関連付けられ、
前記無線接続ネットワークは、
前記の第１セルにおいてマルチモード移動無線機と通信する無線接続ネットワークノード構造と、
前記マルチモード移動無線機が前記異種セルへハンドオーバされるように、前記ネットワークノード構造を介して前記マルチモード移動無線機とハンドオーバ情報を交換するためのデータメカニズムであって、前記の無線接続ネットワーク及び前記異種通信システムに汎用的な専用データマップ構造を、前記汎用的なデータマップ構造が前記第１の通信プロトコルに特有なハンドオーバデータ内容と、前記異種通信プロトコルに特有のハンドオーバデータ内容の両方を送信するように有するデータメカニズムと
を備えることを特徴とする無線接続ネットワーク。
【請求項２】  前記無線接続ネットワークノードが、ブロードキャストされたシステム情報を含むように専用データマップ構造を満たすことを特徴とする請求項１に記載の無線接続ネットワーク。
【請求項３】  前記マルチモード無線機が、移動無線機性能情報を含むように専用データマップ構造を満たすことを特徴とする請求項１に記載の無線接続ネットワーク。
【請求項４】  前記無線接続ネットワークノードが、隣接セル情報を含むように専用データマップ構造を満たすことを特徴とする請求項１に記載の無線接続ネットワーク。
【請求項５】  無線接続ネットワークノードが、隣接セル測定インストラクションを含むように専用データマップ構造を満たすことを特徴とする請求項１に記載の無線接続ネットワーク。
【請求項６】  移動無線機が、隣接セル測定結果を含むように専用データマップ構造を満たすことを特徴とする請求項１に記載の無線接続ネットワーク。
【請求項７】  無線接続ネットワークノードが、ハンドオフコマンド情報を含むように専用のデータマップ構造を満たすことを特徴とする請求項１に記載の無線接続ネットワーク。
【請求項８】  移動通信ネットワークであって、
無線接続ネットワークであって、第１の通信プロトコルに従って前記無線接続ネットワークによりサービスされる第１のセルにおいてマルチモード移動無線機と通信するために、関連付けられた第１の通信プロトコルを有する無線接続ネットワークと、
コアネットワークであって、前記第１のセルに隣接する異種セル内にあり、異種通信プロトコルに従って前記コアネットワークによりサービスされるマルチモード移動無線機と通信するために、関連付けられた前記異種通信プロトコルを有し、前記移動無線機が前記第１のセルの一つから、前記異種セルの一つへ移動する場合に、前記無線ネットワーク及び前記コアネットワークが、前記移動無線機を互いにハンドオフするためのハンドオフ通信状態にあることを特徴とするコアネットワークと
を備え、
前記ハンドオフ通信が、前記無線接続ネットワーク及び前記コアネットワークに汎用的な専用データマップ構造部を、同一の汎用的なデータマップ構造が、前記第１の通信プロトコルに特有のハンドオーバデータコンテンツと、前記異種通信プロトコルに特有のハンドオーバデータコンテンツの両方を送信するように有するデータメカニズムに従って行われることを特徴とする移動通信ネットワーク。
【請求項９】  前記無線接続ネットワークが、ハンドオフ要求情報を含むように専用データマップ構造を満たすことを特徴とする請求項８に記載の移動通信ネットワーク。
【請求項１０】  前記マルチモード移動通信機が、移動無線機性能情報を含むように専用データマップ構造を満たすことを特徴とする請求項８に記載の移動通信ネットワーク。
【請求項１１】  前記無線接続ネットワークが、隣接セル情報を含むように専用データマップ構造を満たすことを特徴とする請求項８に記載の移動通信ネットワーク。
【請求項１２】  前記コアネットワークが、ハンドオフコマンド情報を含むように専用データマップ構造を満たすことを特徴とする請求項８に記載の移動通信ネットワーク。
【請求項１３】
移動通信ネットワークの第１のノードと移動通信ネットワークの異種ノードとの間での、ハンドオフに特有な情報の交換方法であって、
前記第１のノードと前記の異種ノードとの間におけるハンドオフ特性を識別するためのハンドオフ情報コンテナを有するデータメカニズムを提供する工程と、
前記第１のノードにおいて前記ハンドオフに特有な情報を受信する工程であって、前記第１のノードが第１の無線通信プロトコルを用い、前記異種ノードが前記第１の無線通信プロトコルタイプと異なる異種の無線通信プロトコルタイプを用いる、工程と、
前記異種無線通信プロトコルタイプに特有の形式において、前記ハンドオフ情報コンテナを前記のハンドオフに特有な情報で満たす工程であって、前記ハンドオフ情報コンテナは、前記第１の通信プロトコルタイプと前記の異種通信プロトコルタイプの両方に応じて、前記のハンドオフに特有な情報を送信する汎用的な構造である、工程と
を備えることを特徴とする方法。
【請求項１４】  前記ハンドオフ情報コンテナが、ブロードキャストシステム情報を含むことを特徴とする請求項１３に記載のハンドオフに特有な情報の交換方法。
【請求項１５】  前記ハンドオフ情報コンテナが、移動無線機性能情報を含むことを特徴とする請求項１３に記載のハンドオフに特有な情報の交換方法。
【請求項１６】  前記ハンドオフ情報コンテナが、隣接セル情報を含むことを特徴とする請求項１３に記載のハンドオフに特有な情報の交換方法。
【請求項１７】前記ハンドオフ情報コンテナが、隣接セル測定インストラクションを含むことを特徴とする請求項１３に記載のハンドオフに特有な情報の交換方法。
【請求項１８】  ハンドオフ情報コンテナが隣接セル測定結果を含むことを特徴とする請求項１３に記載のハンドオフに特有な情報の交換方法。
【請求項１９】  ハンドオフ情報コンテナが移動通信機ハンドオフコマンド情報を含むことを特徴とする請求項１３に記載のハンドオフに特有な情報の交換方法。
【請求項２０】  前記第１の無線通信プロトコルと前記異種通信プロトコルとにそれぞれ関連付けられたコアネットワークの間でハンドオフに特有の情報を交換する工程と、
前記コアネットワーク間で、前記の異種無線通信プロトコルタイプに特有の形式の前記ハンドオフ情報によって、ハンドオフに特有な情報コンテナを満たす工程と
を更に備えることを特徴とする請求項１３に記載のハンドオフに特有な情報の交換方法。
【請求項２１】  前記コアネットワークが、ハンドオフ要求情報を含むように専用データマップ構造を満たすことを特徴とする請求項２０に記載のハンドオフに特有な情報の交換方法。
【請求項２２】  前記コアネットワークが、移動無線機性能情報を含むように専用データマップ構造を満たすことを特徴とする請求項２０に記載のハンドオフに特有な情報の交換方法。
【請求項２３】  前記コアネットワークが、隣接セル情報を含むように専用データマップ構造を満たすことを特徴とする請求項２０に記載のハンドオフに特有な情報の交換方法。
【請求項２４】  前記コアネットワークが、ハンドオフコマンド情報を含むように専用データマップ構造を満たすことを特徴とする請求項２０に記載のハンドオフに特有な情報の交換方法。
【請求項２５】  前記無線接続ネットワークが、隣接セル測定インストラクションを含むように専用データマップ構造を満たすことを特徴とする請求項８に記載の移動通信ネットワーク。
【請求項２６】  前記コアネットワークが、隣接セル測定インストラクションを含むように専用データマップ構造を満たすことを特徴とする請求項２０に記載のハンドオフに特有な情報の交換方法。